(57)【特許請求の範囲】
【請求項１】
回転操作部を設けた送信回路の電子調整部品を回転操作して、電界強度を最適値に調整する方法であって、
送信回路に実装された回転可能な操作部を、モータドライバで一定幅の第一のピッチ角度でピッチ送り実施することで、前記モータドライバの回転角度と電界強度との相関に関する電界強度の全体の波形を把握し、この波形に基づいて、電界強度のピークポイントが存在すると思われる、前記モータドライバの回転角度の範囲を角度幅で絞込み、
前記絞込まれたモータドライバの回転角度の範囲の初めとなる回転角度から、前記操作部を、前記モータドライバで前記第一のピッチ角度よりも、小さい第二のピッチ角度で低速ピッチ送りし、前記モータドライバの回転角度を１ピッチ進める毎に、その時の電界強度を測定し、
電界強度の値を、順次、前記モータドライバの前の回転角度の電界強度と対比して、電界強度の値が、前記モータドライバの前の回転角度の電界強度の値に比較して、低くなった時点に、操作部の回転角度を固定する、送信回路のアンテナ利得調整方法。
【請求項２】
前記絞込まれたモータドライバの回転角度の範囲の初めとなる角度は、ピークポイントと思われるデータに対応するモータドライバの回転角度の１ピッチ手前以上のモータドライバの角度に設定されている、請求項１に記載の送信回路のアンテナ利得調整方法。
【請求項３】
前記送信回路に実装された、回転可能な操作部を、前記モータドライバで一定幅の第一のピッチ角度でピッチ送り実施することで、前記モータドライバの回転角度と電界強度との相関に関する電界強度の全体の波形を把握するために、前記モータドライバを、３６０度以上連続的に回転させる、請求項１又は請求項２に記載の送信回路のアンテナ利得調整方法。
【請求項４】
回転操作部を設けた送信回路の電子調整部品を回転操作して、電界強度を最適値に調整する方法であって、
送信回路に実装された、回転可能な操作部に嵌合したモータドライバを所定のピッチ角度で１回転以上回転させ、その回転操作の間に、ピッチ角度を進める毎に計測した電界強度を、そのときの回転操作角度とともに順次記録し、
前記順次記憶した電界強度から最大値を抽出し、その最大値に対応した回転操作角度よりも十分に手前となるピッチ角度に対応した回転操作角度まで前記モータドライバを回転させ、
次いで、その回転操作角度を開始点として、前記モータドライバを前記ピッチ角度よりもより精度の高い調整ピッチ角度で回転操作を進めながら、１調整ピッチ角度進める毎に、そのときに計測された電界強度を、その前の調整ピッチ角度の電界強度と比較し、増大すれば、モータドライバの回転操作角度を更に１調整ピッチ角度進め、減少した時点で、その前の調整ピッチ角度まで戻して、電界強度を、その値に固定することを特徴とする、送信回路のアンテナ利得調整方法。
【請求項５】
前記送信回路の電子調整部品が、トリマコンデンサである、請求項４に記載の送信回路のアンテナ利得調整方法。
【請求項６】
回転操作部を設けた送信回路の電子調整部品を回転操作して、電界強度を最適値に調整する装置であって、
コンデンサなどの調整可能な電子部品を実装した送信回路基板の回転可能な操作部に嵌合されて、前記操作部を回転操作するためのモータドライバを任意の操作角度に制御するためのモータドライバ制御装置と、
送信回路の操作部の回転操作角度を検出して、その回転操作角度に基づいて所定の演算処理を行って、送信回路の電界強度を測定するための電界強度測定器と、
前記モータドライバの回転操作に連動して、前記電界強度測定器によって計測された送信回路の電界強度を、順次サンプリング値として記憶し、所定の演算処理を実行する、演算処理装置とを備え、
前記モータドライバにより前記回転可能な操作部を所定のピッチ角度でピッチ送りすることで、電界強度の全体の波形を把握して、電界強度のピークポイントが存在する回転角度の範囲を絞込み、
絞込まれた回転角度の範囲の初めとなる回転角度から、前記回転可能な操作部を、前記所定のピッチ送り角度よりも精度の高い調整ピッチ角度でピッチ送りしつつ電界強度を逐次測定して、電界強度のピークポイントに固定することを特徴とする、送信回路のアンテナ利得調整装置。
【請求項７】
前記送信回路の電子調整部品がトリマコンデンサである、請求項６に記載の送信回路のアンテナ利得調整装置。
【発明の詳細な説明】
【０００１】
【産業上の利用分野】
本発明は、送信回路のアンテナ利得調整方法及び送信回路のアンテナ利得調整装置に関し、特に、短時間の調整時間で、アンテナ利得を最適化することのでき、且つ、ノイズやビット滑り等が発生した場合であっても、送信回路の電界強度の最大値にアンテナ利得を調整できるようにした、送信回路のアンテナ利得調整方法及びこの調整方法を実施する送信回路のアンテナ利得調整装置に関する。
【０００２】
【従来の技術】
送信器、送受信機その他のワイヤレス機器は、発信回路のアンテナの利得調整を行なった後、工場から出荷されている。
【０００３】
図７は、従来のワイヤレス機器の送信回路のアンテナ利得調整装置を概略的に示す構成図である。
【０００４】
この送信回路のアンテナ利得調整装置１０１は、計測器１０２と、モータドライバ１０３ａと、モータドライバ１０３ａを回転させるためのモータドライバ制御装置１０３と、演算処理装置１０４とを備える。
【０００５】
演算処理装置は１０４は、計測器１０２が計測した計測値を演算処理するとともに、モータドライバ１０３ａを所定の微小送りで回転制御するモータドライバ制御装置１０３を制御するものである。
【０００６】
従来、ワイヤレス機器の送信回路のアンテナ利得調整は、以下のような方法によって行なわれている。
【０００７】
図８は、従来の送信回路のアンテナ利得調整方法を概略的に説明する図であり、送信回路Ｃのアンテナ利得調整の操作手順を概略的に説明するための図であり、アンテナの利得を調整する送信回路に設けられているトリマコンデンサの調整つまみをモータドライバ１０３ａを用いて回転させた際のモータドライバ１０３ａの回転角度と、計測器１０２により計測された電界強度（ｄＢｍ）との相関関係を示す図である。
【０００８】
まず、アンテナの利得を調整する送信回路Ｃと計測器１０２と信号線Ｌを用いて接続する。
【０００９】
次に、送信回路Ｃに設けられている、トリマコンデンサの調整つまみＣａに、モータドライバ１０３ａを嵌合する（図８中、（１）を参照）。
【００１０】
次に、モータドライバ制御装置１０３を駆動して、モータドライバ１０３ａを所定の微小送りし、トリマコンデンサの調整つまみＣａを少しずつ回転させながら（図８中、（２）を参照）、計測器からコンピュータに取り込んだデータを元に、計測器１０２により計測された電界強度（ｄＢｍ）がもっとも高くなった所（図８中、（３）を参照）からやや低くなったところ（図８中、（３）を参照）を、ピークポイントとするという操作を、トリマコンデンサの調整つまみＣａに嵌合したモータドライバ１０３ａを３６０度又は３６０度以上回転させて、ピークポイントの最大値更新によって最適値を検出するようにして、送信回路Ｃのアンテナの利得としている。
【００１１】
【発明が解決しようとする課題】
しかしながら、上述したような、最初から、トリマコンデンサの調整つまみＣａに嵌合したモータドライバ１０３ａのピッチ角度を最初から微小送りし、ピークポイントが最大となるように、送信回路のアンテナの利得を調整する方法では、送信回路Ｃのアンテナの利得調整に時間がかかるという問題や、モータドライバ１０３ａを微小角送りをして、トリマコンデンサの調整つまみＣａを回転させるという方法では、ドライバー１０３ａと調整つまみＣａとの嵌合が勝手に解除され、ビットの滑りが発生し、例えば、ドライバーブレードが１ピッチ飛んでしまうような機械的なミスが発生する場合や、送信回路のアンテナ利得調整中に、ノイズが入った場合等には、送信回路Ｃのアンテナの利得を最適値にするのが難しい、といったような問題があった。
【００１２】
本発明は、以上のような問題を解決するためになされたものであって、送信回路Ｃのアンテナの利得調整を短時間で、しかも、送信回路のアンテナの利得調整中に、上記したような機械的なミスやノイズが発生したような場合であっても、送信回路の電界強度の最大値に、アンテナの利得を調整できるようにした、送信回路のアンテナ利得調整方法及びこの調整方法を実施する送信回路のアンテナ利得調整装置を提供することを目的とする。
【００１３】
【課題を解決するための手段】
請求項１に記載の送信回路のアンテナ利得調整方法は、回転操作部を設けた送信回路の電子調整部品を回転操作して、電界強度を最適値に調整する方法であって、送信回路に実装された回転可能な操作部を、モータドライバで一定幅の第一のピッチ角度でピッチ送り実施することで、モータドライバの回転角度と電界強度との相関に関する電界強度の全体の波形を把握し、この波形に基づいて、電界強度のピークポイントが存在すると思われる、モータドライバの回転角度の範囲を角度幅で絞込み、絞込まれたモータドライバの回転角度の範囲の初めとなる回転角度から、操作部を、モータドライバで第一のピッチ角度よりも、小さいピッチ角度で低速ピッチ送りし、モータドライバの回転角度を１ピッチ進める毎に、その時の電界強度を測定し、電界強度の値を、順次、回転可能な操作部の前の回転角度の電界強度と対比して、電界強度の値が、モータドライバの前の回転角度の電界強度の値に比較して、低くなった時点に、操作部の回転角度を固定する。この送信回路のアンテナ利得調整方法では、最初に、ある程度の間隔で、送信回路に実装された回転可能な操作部に嵌合したモータドライバの回転角度と電界強度との相関に関する電界強度の全体の波形を把握し、この波形に基づいて、電界強度のピークポイントが存在すると思われる、モータドライバの回転角度の範囲を角度幅で絞込み、絞込まれたモータドライバの回転角度の範囲の初めとなる回転角度から、送信回路に実装された、操作部を、モータドライバで第一のピッチ送り角度よりも、小さいピッチ角度で低速ピッチ送りし、電界強度の値を、順次、前のピッチ角度と対比するようにしているので、最初から、送信回路に実装された、回転可能な操作部のピッチ角度を微小送りし、ピークポイントが最大となるピッチ角度に送信回路に実装された、回転可能な操作部を調整する方法に比べ、短時間で、ビットの滑りの問題を生じることなく、送信回路のアンテナ利得調整中に、ノイズが入るような事態を生じることなく、アンテナ利得調整を行なうことができる。
【００１４】
請求項２に記載の送信回路のアンテナ利得調整方法は、請求項１に記載の送信回路のアンテナ利得調整方法の、絞込まれたモータドライバの回転角度の範囲の初めとなる回転角度は、ピークポイントと思われるデータに対応するモータドライバの回転角度の１ピッチ手前以上の操作部の角度に設定されている。
【００１５】
この送信回路のアンテナ利得調整方法では、絞込まれたモータドライバの回転角度の範囲の初めとなる回転角度は、ピークポイントと思われるデータに対応するモータドライバの回転角度の１ピッチ手前以上の回転角度に設定しているので、例え、送信回路に実装された、操作部を、モータドライバで一定幅の第一のピッチ角度でピッチ送り実施することで、モータドライバの回転角度と電界強度との相関に関する電界強度の全体の波形を把握するステップにおいて把握された、電界強度の全体の波形中に、何らかのノイズにより、ピークポイントのデータが欠損しているような場合であっても、アンテナ利得調整を行なうことができる。
【００１６】
請求項３に記載の送信回路のアンテナ利得調整方法は、請求項１又は請求項２に記載の送信回路のアンテナ利得調整方法において、送信回路に実装された、回転可能な操作部を、モータドライバで一定幅の第一のピッチ角度でピッチ送り実施することで、操作部の回転角度と電界強度との相関に関する電界強度の全体の波形を把握するために、モータドライバを、３６０度以上連続的に回転させる。
【００１７】
この送信回路のアンテナ利得調整方法では、送信回路に実装された、回転可能な操作部を、モータドライバで一定幅の第一のピッチ角度でピッチ送り実施することで、操作部の回転角度と電界強度との相関に関する電界強度の全体の波形を把握するために、モータドライバを、３６０度以上連続的に回転させているので、モータドライバの回転角度と電界強度との相関に関する電界強度の全体の波形を把握より完全に把握することができる。このため、電界強度が2番目に高いピークポイントや、３番目に高いピークポイント等を、電界強度が１番高いピークポイントと誤認し、電界強度が2番目に高いピークポイントや、３番目に高いピークポイント等の角度に、アンテナ利得の調整をしてしまう、といったような事態が生じない。
【００１８】
請求項４に記載の送信回路のアンテナ利得調整方法は、回転操作部を設けた送信回路の電子調整部品を回転操作して、電界強度を最適値に調整する方法であって、送信回路に実装された回転可能な操作部に嵌合したモータドライバを所定のピッチ角度で１回転以上回転させ、その回転操作の間に、ピッチ角度を進める毎に計測した電界強度を、そのときの回転操作角度とともに順次記録し、順次記憶した電界強度から最大値を抽出し、その最大値に対応した回転操作角度よりも十分に手前となるピッチ角度に対応した回転操作角度までモータドライバを回転させた後、次いで、その回転操作角度を開始点として、モータドライバを、その最大値に対応した回転操作角度よりも十分に手前となる迄のピッチ角度よりもより精度の高い調整ピッチ角度で回転操作を進めながら、１調整ピッチ角度進める毎に、そのときに計測された電界強度を、その前の調整ピッチ角度の電界強度と比較し、増大すれば、モータドライバの回転操作角度を更に１調整ピッチ角度進め、減少した時点で、その前の調整ピッチ角度まで戻して、電界強度を、その値に固定することを特徴とする。
【００１９】
この送信回路のアンテナ利得調整方法では、送信回路に実装された回転可能な操作部に嵌合したモータドライバを所定のピッチ角度で１回転以上回転させることで、予め、モータドライバの回転角度と、送信回路の電界強度との相関関係についての、送信回路の全体の波形を予め把握し、把握した送信回路の全体の波形に基づいて、送信回路の電界強度が最大となる場所の近傍となるまでは、送信回路に実装された回転可能な操作部に嵌合したモータドライバを、一定のピッチ角度で回転操作し、送信回路の電界強度が最大となる場所の近傍付近からは、モータドライバを、送信回路の電界強度が最大となる場所の近傍となるまでのピッチ角度よりもより精度の高い調整ピッチ角度にして、そのような精度の高い調整ピッチ角度で回転操作し、そのときに計測された電界強度を、その前の調整ピッチ角度の電界強度と比較し、増大すれば、モータドライバの回転操作角度を更に１調整ピッチ角度進め、減少した時点で、その前の調整ピッチ角度まで戻して、電界強度を、その値に固定以上の手順でモータドライバを制御し計測しながら、送信回路の電界強度を最適値に自動調整しているので、短時間に、送信回路のアンテナの利得を最適化することができる。
【００２０】
また、送信回路のアンテナの利得調整中に、ドライバーブレードが１ピッチ飛んでしまうような機械的なミスが生じたり、ノイズが入ったような場合であっても、この送信回路のアンテナ利得調整方法では、送信回路に実装された回転可能な操作部に嵌合したモータドライバを１回転以上回転させることで、予め、送信回路に実装された回転可能な操作部に嵌合したモータドライバの回転角度と、送信回路の電界強度との相関関係についての、送信回路の全体の波形を把握し、送信回路の電界強度の最大値を選出しているので、送信回路の電界強度の最大値に、送信回路のアンテナ利得を調整できる。
【００２１】
請求項５に記載のアンテナ利得調整方法は、回転操作部を設けた送信回路の電子調整部品を具体的に特定する発明であって、請求項４に記載のアンテナ利得調整方法の、送信回路の電子調整部品が、トリマコンデンサである。
請求項６に記載の送信回路のアンテナ利得調整装置は、回転操作部を設けた送信回路の電子調整部品を回転操作して、電界強度を最適値に調整する装置であって、コンデンサなどの調整可能な電子部品を実装した送信回路基板の回転可能な操作部に嵌合されて、該操作部を回転操作するためのモータドライバを任意の操作角度に制御するためのモータドライバ制御装置と、送信回路の操作部の回転操作角度を検出して、その回転操作角度に基づいて所定の演算処理を行って、送信回路の電界強度を測定するための電界強度測定器と、モータドライバの回転操作に連動して、前記電界強度測定器によって計測された送信回路の電界強度を、順次サンプリング値として記憶し、所定の演算処理を実行する、演算処理装置とを備え、前記モータドライバにより前記回転可能な操作部を所定のピッチ角度でピッチ送りすることで、電界強度の全体の波形を把握して、電界強度のピークポイントが存在する回転角度の範囲を絞込み、絞込まれた回転角度の範囲の初めとなる回転角度から、前記回転可能な操作部を、前記所定のピッチ送り角度よりも精度の高い調整ピッチ角度でピッチ送りしつつ電界強度を逐次測定して、電界強度のピークポイントに固定することを特徴とする。
【００２２】
すなわち、この送信回路のアンテナ利得調整装置は、請求項１〜４に記載の送信回路のアンテナ利得調整方法を実施する装置に係るものであって、この送信回路のアンテナ利得調整装置を用いれば、送信回路に実装された回転可能な操作部に嵌合したモータドライバを所定のピッチ角度で１回転以上回転させることで、予め、モータドライバの回転角度と、送信回路の電界強度との相関関係についての、送信回路の全体の波形を予め把握し、この波形に基づいて、送信回路の電界強度が最大となる場所の近傍となるまでは、モータドライバを、一定のピッチ角度にし、送信回路に実装された回転可能な操作部に嵌合したモータドライバを回転操作し、送信回路の電界強度が最大となる場所の近傍付近からは、モータドライバを、送信回路の電界強度が最大となる場所の近傍となるまでのピッチ角度よりもより精度の高い調整ピッチ角度にして、送信回路に実装された回転可能な操作部を、そのような精度の高い調整ピッチ角度で回転操作し、そのときに計測された電界強度を、その前の調整ピッチ角度の電界強度と比較し、増大すれば、モータドライバの回転操作角度を更に１調整ピッチ角度進め、減少した時点で、その前の調整ピッチ角度まで戻して、電界強度を、その値に固定以上の手順でモータドライバを制御し計測しながら、送信回路の電界強度を最適値に自動調整しているので、短時間に、送信回路のアンテナの利得を最適化することができる。
【００２３】
また、送信回路のアンテナの利得調整中に、ドライバーブレードが１ピッチ飛んでしまうような機械的なミスが生じたり、ノイズが入ったような場合であっても、この送信回路のアンテナ利得調整方法では、送信回路に実装された回転可能な操作部に嵌合したモータドライバを１回転以上回転させることで、予め、送信回路の回転可能な操作部に嵌合したモータドライバと、送信回路の電界強度との相関関係についての、送信回路の全体の波形を把握し、送信回路の電界強度の最大値を選出しているので、送信回路の電界強度の最大値に、送信回路のアンテナ利得を調整できる。
【００２４】
請求項７に記載の送信回路のアンテナ利得調整装置は、回転操作部を設けた送信回路の電子調整部品を具体的に特定する発明であって、請求項６に記載のアンテナ利得調整装置の、送信回路の電子調整部品が、トリマコンデンサである。
【発明の実施の形態】
以下、図面を参照しなが、本発明に係る送信回路のアンテナ利得調整方法及び送信回路のアンテナ利得調整装置について、更に、詳しく説明する。
図１は、本発明に係る、送信回路のアンテナ利得調整装置を概略的に示す構成図である。
【００２５】
この送信回路のアンテナ利得調整装置１は、計測器２と、モータドライバ３ａと、モータドライバ３ａを回転させるためのモータドライバ制御装置３と、演算処理装置４とを備える。
【００２６】
演算処理装置４は、計測器２が計測した計測値を演算処理するとともに、モータドライバ３ａを所定の微小送りで回転制御するモータドライバ制御装置３を制御するものである。
【００２７】
以上の装置構成は、図７に示す、従来の、送信回路のアンテナ利得調整装置１０１と同様であるが、この送信回路のアンテナ利得調整装置１は、以下の構成が、送信回路のアンテナ利得調整装置１０１と異なっている図２は、この装置１を用いた、送信回路のアンテナ利得調整方法を概略的に説明する図であり、送信回路のアンテナ利得調整の操作手順を概略的に説明するための図であり、トリマコンデンサＣの調整つまみＣａにモータドライバ３ａを嵌合させた後、モータドライバで一定幅の第一のピッチ角度（ピッチ送り計測ポイント）でピッチ送り実施し、第一のピッチ角度（ピッチ送り計測ポイント）毎に、計測器２により計測された電界強度（ｄＢｍ）に基づいて作成した、モータドライバ３ａの回転角度と電界強度との相関に関する電界強度の全体の波形を表すグラフである。
【００２８】
また、図３は、この装置１を用いた、送信回路のアンテナ利得調整方法を概略的に説明するフローチャートである。
【００２９】
この装置１では、ワイヤレス機器の送信回路のアンテナの利得調整は、以下の方法によって行なう。
【００３０】
まず、アンテナの利得を調整する送信回路Ｃと計測器２と信号線Ｌを用いて接続する。
次に、図３中、ステップ１００及びステップ１０１に示すように、送信回路Ｃに設けられている、トリマコンデンサの調整つまみＣａに、モータドライバ３ａを嵌合する（図２中、（１）は、ビット嵌合が取れたポイントを示している（図４、図５及び図６において同じ）。）。
【００３１】
次に、図３中、ステップ１０２〜ステップ１０６に示すように、モータドライバ３ａを所定の一定速度（ピッチ角度）で回転し、トリマコンデンサＣの調整つまみＣａを所定のピッチ角だけ回転させる毎に、計測器２により電界強度（ｄＢｍ）を計測し、演算処理装置４のメモリー（図示せず。）に記憶させる。
【００３２】
このような操作は、モータドライバ３ａを、少なくとも、１回転するようにして、予め設定した回数行なう（以下、この処理を、「サンプリング前処理」という。）。
次に、図３中、ステップ１０７〜ステップ１１２に示すように、ステップ１０２〜ステップ１０６で計測器２が計測した計測値から、電界強度（ｄＢｍ）の最大値を選出する。
尚、ステップ１１２において選択した、電界強度（ｄＢｍ）の最大値を、以下、サンプリング値という。
【００３３】
次に、図３中、ステップ１１３〜スッテプ１１４に示すように、モータドライバ３ａを、電界強度（ｄＢｍ）が最大値となるときの、トリマコンデンサＣの調整つまみＣａの回転角度の手前の回転角度（調整開始操作角度）まで回転させる。
【００３４】
尚、モータドライバ３ａを、電界強度（ｄＢｍ）が最大値となるときの、トリマコンデンサＣの調整つまみＣａの回転角度の手前の回転角度（調整開始操作角度）まで回転させる操作は、サンプリング前処理後、そのまま同じ方向に回転させてもよいし、逆回転させてもよい。
【００３５】
図２中、（２）〜（１５）の各々は、ピッチ送り計測ポイントを示しており、（１６）は、調整開始操作角度のポイントを示している。
【００３６】
この調整開始操作角度は、以下の手順操作により特定される。
まず、（２）〜（１５）の各々に示すピッチ送り計測ポイントにおいて各々計測した電界強度の値に基づいて、トリマコンデンサＣの調整つまみＣａに嵌合したモータドライバ３ａの回転角度と電界強度との相関関係を示す、電界強度の全体の波形を作成する。
【００３７】
次に、以上のようにして得られたピッチ角度と電界強度との相関関係を示す、電界強度の全体の波形に基づいて、電界強度のピークポイントが存在すると思われるピッチ角度の範囲を角度幅で絞込む。図２では、電界強度の全体の波形に基づいて、トリマコンデンサＣの調整つまみＣａの回転角度が、２７０°の場所に電界強度のピークポイントが存在すると推定し、電界強度のピークポイントが存在すると思われる、トリマコンデンサＣの調整つまみＣａに嵌合したモータドライバ３ａの回転角度の範囲を２２５°〜３００° の範囲に設定している。
【００３８】
電界強度のピークポイントが存在すると思われる、トリマコンデンサＣの調整つまみＣａに嵌合したモータドライバ３ａの回転角度の範囲の初めとなる角度は、ピークポイントと思われるデータに対応する調整つまみＣａの回転角度の１ピッチ手前以上の調整つまみＣａの回転角度に設定される。
【００３９】
この例では、ピークポイントと思われるデータに対応する調整つまみＣａの回転角度から、２つ前のピッチ送り計測ポイントに対応するモータドライバ３ａの回転角度（２２５°）を、電界強度のピークポイントが存在すると思われる、モータドライバ３ａの回転角度の範囲の初めとなる角度としている。
【００４０】
トリマコンデンサＣの調整つまみＣａに嵌合したモータドライバ３ａの回転角度が調整開始操作角度になった後は、モータドライバ３ａを、調整開始操作角度になる迄のピッチ角度よりもより精度の高い調整ピッチ角度で回転操作を進めながら、１調整ピッチ角度進める毎に、そのときに計測された電界強度を、その前の調整ピッチ角度の送信回路と比較し、増大すれば、モータドライバ３ａの回転操作角度を更に１調整ピッチ角度進め、減少した時点で、その前の調整ピッチ角度まで戻して、トリマコンデンサＣの調整つまみＣａの回転角度を、送信回路Ｃのアンテナ利得の最適値として固定する（以上の工程については、ステップ１１５〜ステップ１１８を参照）。
【００４１】
尚、図２中、（１７）は、送信回路Ｃのアンテナ利得の最適値を通り越したポイントを示しており、また、（１８）は、送信回路Ｃのアンテナ利得の最適値として固定するポイントを示している（図４、図５及び図６において同じ）。
【００４２】
また、この例では、図３中、ステップ１１９及びステップ１２０に示すように、このようにして、調整した送信回路Ｃのアンテナ利得の最適値が、ステップ１１２で選択したサンプリング値より大きくなった場合は、良品、そうでない場合には、不良品として選別している。
【００４３】
次に、送信回路Ｃのアンテナ利得の最適値として固定した後、ビットアップし、トリマコンデンサＣの調整つまみＣａとモータドライバ３ａとの嵌合を解除するとともに、信号線Ｌを送信回路Ｃから取り外し、送信回路Ｃのアンテナ利得調整済みのワイヤレス機器を工場の出荷場所へ送り出す。
【００４４】
この装置１では、（２）〜（１５）の各々に示すピッチ送り計測ポイントにおいて各々計測した電界強度の値に基づいて、トリマコンデンサＣの調整つまみＣａに嵌合したモータドライバ３ａの回転角度と電界強度との相関関係を示す、電界強度の全体の波形をまず作成しておいてから、この電界強度の波形の、送信回路Ｃの電界強度が最大となる場所の近傍付近からは、モータドライバ３ａを、送信回路Ｃの電界強度が最大となる場所の近傍となるまでのピッチ角度よりもより精度の高い調整ピッチ角度にして、トリマコンデンサＣの調整つまみＣａを、そのような精度の高い調整ピッチ角度で回転操作し、そのときに計測された電界強度を、その前の調整ピッチ角度の電界強度と比較し、増大すれば、モータドライバ３ａの回転操作角度を更に１調整ピッチ角度進め、減少した時点で、その前の調整ピッチ角度まで戻して、電界強度を、その値に固定以上の手順でモータドライバを制御し計測しながら、送信回路の電界強度を最適値に自動調整しているので、短時間に、送信回路のアンテナの利得を最適化することができる。図４は、装置１を用いた、送信回路のアンテナ利得調整方法を概略的に説明する図であり、送信回路のアンテナ利得調整の操作手順を概略的に説明するための図であり、トリマコンデンサＣの調整つまみＣａにモータドライバを嵌合させた後、モータドライバで一定幅の第一のピッチ角度（ピッチ送り計測ポイント）でピッチ送り実施し、第一のピッチ角度（ピッチ送り計測ポイント）毎に、計測器２により計測された電界強度（ｄＢｍ）に基づいて作成したモータドライバの回転角度と電界強度との相関に関する電界強度の全体の波形を表すグラフであり、電界強度の波形中に、ノイズにより大小２つのピーク値が現れた場合を示している。
【００４５】
このようなパターンは、一般には、送信回路Ｃの設計に依存する。
【００４６】
図４に示すようなパターンを有する送信回路Ｃでも、この装置１を用いた、送信回路Ｃのアンテナ利得調整方法では、トリマコンデンサＣの調整つまみＣａに、モータドライバ３ａを嵌合した後、モータドライバ３ａを所定のピッチ角度で１回転以上回転させることで、予め、送信回路ＣのトリマコンデンサＣの調整つまみＣａをモータドライバ３ａを用いて回転させた際のモータドライバの回転角度と、送信回路の電界強度との相関関係についての、送信回路の全体の波形を予め把握し、送信回路の電界強度の最大値を、サンプリング値として選出しているので、送信回路の電界強度の最大値に、送信回路Ｃのアンテナ利得を調整できる。
【００４７】
同様に、図５に示すように、トリマコンデンサＣの調整つまみＣａに、モータドライバ３ａを嵌合した後、モータドライバ３ａを所定のピッチ角度で１回転させた際に、送信回路Ｃのアンテナ利得に、電界強度に、大小２つのピーク値がノイズにより現れた場合（図５中、（１０）‘は、ノイズのピーク値を示している。）であっても、この装置１を用いた、送信回路Ｃのアンテナ利得調整方法では、トリマコンデンサＣの調整つまみＣａに、モータドライバ３ａを嵌合した後、モータドライバ３ａを所定のピッチ角度で１回転以上回転させることで、予め、モータドライバ３ａの回転角度と、送信回路の電界強度との相関関係についての、送信回路の全体の波形を予め把握し、送信回路の電界強度の最大値を、サンプリング値として選出しているので、送信回路の電界強度の最大値に、送信回路Ｃのアンテナ利得を調整できる。
【００４８】
また、図６は、ドライバー１０３ａと調整つまみＣａとの嵌合が勝手に解除され、ビットの滑りが発生した場合のトリマコンデンサＣの調整つまみＣａをモータドライバ３ａを用いて回転させた際のモータドライバ３ａの回転角度と、計測器２により計測された電界強度（ｄＢｍ）との相関関係を示す図である。
【００４９】
図６に示すようなビットの滑りが発生した場合であっても、この装置１を用いた、送信回路Ｃのアンテナ利得調整方法では、トリマコンデンサＣの調整つまみＣａに嵌合したモータドライバ３ａを所定のピッチ角度で１回転以上回転させることで、予め、モータドライバ３ａの回転角度と、送信回路の電界強度との相関関係についての、送信回路の全体の波形を予め把握し、送信回路の電界強度の最大値を、サンプリング値として選出しているので、送信回路の電界強度の最大値に、送信回路Ｃのアンテナ利得を調整できる。
【００５０】
【発明の効果】
以上、詳細に説明した通り、請求項１に記載の送信回路のアンテナ利得調整方法では、最初に、ある程度の間隔で、送信回路に実装された回転可能な操作部に嵌合したモータドライバの回転角度と電界強度との相関に関する電界強度の全体の波形を把握し、この波形に基づいて、電界強度のピークポイントが存在すると思われる、モータドライバの回転角度の範囲を角度幅で絞込み、絞込まれたモータドライバの回転角度の範囲の初めとなる回転角度から、送信回路に実装された、操作部を、モータドライバで第一のピッチ角度よりも、小さいピッチ角度で低速ピッチ送りし、電界強度の値を、順次、前のピッチ角度と対比するようにしているので、最初から、送信回路に実装された、回転可能な操作部のピッチ角度を微小送りし、ピークポイントが最大となるピッチ角度に送信回路に実装された、回転可能な操作部を調整する方法に比べ、短時間で、ビットの滑りの問題を生じることなく、送信回路のアンテナ利得調整中に、ノイズが入るような事態を生じることなく、アンテナ利得調整を行なうことができる。
【００５１】
請求項２に記載の送信回路のアンテナ利得調整方法では、絞込まれたモータドライバの回転角度の範囲の初めとなる回転角度は、ピークポイントと思われるデータに対応するモータドライバの回転角度の１ピッチ手前以上の回転角度に設定しているので、例え、送信回路に実装された、操作部を、モータドライバで一定幅の第一のピッチ角度でピッチ送り実施することで、モータドライバの回転角度と電界強度との相関に関する電界強度の全体の波形を把握するステップにおいて把握された、電界強度の全体の波形中に、何らかのノイズにより、ピークポイントのデータが欠損しているような場合であっても、アンテナ利得調整を行なうことができる。
【００５２】
請求項３に記載の送信回路のアンテナ利得調整方法では、送信回路に実装された、回転可能な操作部を、モータドライバで一定幅の第一のピッチ角度でピッチ送り実施することで、送信回路に実装された、回転可能な操作部に嵌合したモータドライバの回転角度と電界強度との相関に関する電界強度の全体の波形を把握するために、モータドライバを、３６０度以上連続的に回転させているので、モータドライバの回転角度と電界強度との相関に関する電界強度の全体の波形を把握より完全に把握することができる。
このため、電界強度が2番目に高いピークポイントや、３番目に高いピークポイント等を、電界強度が１番高いピークポイントと誤認し、電界強度が2番目に高いピークポイントや、３番目に高いピークポイント等の角度に、アンテナ利得の調整をしてしまう、といったような事態が生じない。
【００５３】
請求項４又は請求項５に記載の送信回路のアンテナ利得調整方法では、モータドライバで所定のピッチ角度で１回転以上回転させることで、予め、送信回路に実装された回転可能な操作部に嵌合したモータドライバ回転角度と、送信回路の電界強度との相関関係についての、送信回路の全体の波形を予め把握し、把握した送信回路の全体の波形に基づいて、送信回路の電界強度が最大となる場所の近傍となるまでは、送信回路に実装された回転可能な操作部に嵌合したモータドライバを、一定のピッチ角度で回転操作し、送信回路の電界強度が最大となる場所の近傍付近からは、モータドライバを、送信回路の電界強度が最大となる場所の近傍となるまでのピッチ角度よりもより精度の高い調整ピッチ角度にして、電子調整部品を、そのような精度の高い調整ピッチ角度で回転操作し、そのときに計測された電界強度を、その前の調整ピッチ角度の電界強度と比較し、増大すれば、モータドライバの回転操作角度を更に１調整ピッチ角度進め、減少した時点で、その前の調整ピッチ角度まで戻して、電界強度を、その値に固定以上の手順でモータドライバを制御し計測しながら、送信回路の電界強度を最適値に自動調整しているので、短時間に、送信回路のアンテナの利得を最適化することができる。
【００５４】
また、送信回路のアンテナの利得調整中に、ドライバーブレードが１ピッチ飛んでしまうような機械的なミスが生じたり、ノイズが入ったような場合であっても、この送信回路のアンテナ利得調整方法では、モータドライバで電気調整部品を１回転以上回転させることで、予め、送信回路の電気調整部品の回転角と、送信回路の電界強度との相関関係についての、送信回路の全体の波形を把握し、送信回路の電界強度の最大値を選出しているので、送信回路の電界強度の最大値に、送信回路のアンテナ利得を調整できる。
請求項６又は請求項７に記載の送信回路のアンテナ利得調整装置は、請求項１〜４に記載の送信回路のアンテナ利得調整方法を実施する装置に係るものであって、この送信回路のアンテナ利得調整装置を用いれば、送信回路に実装された回転可能な操作部に嵌合したモータドライバを所定のピッチ角度で１回転以上回転させることで、予め、モータドライバの回転角度と、送信回路の電界強度との相関関係についての、送信回路の全体の波形を予め把握し、この波形に基づいて、送信回路の電界強度が最大となる場所の近傍となるまでは、モータドライバを、一定のピッチ角度にし、送信回路に実装された回転可能な操作部に嵌合したモータドライバを回転操作し、送信回路の電界強度が最大となる場所の近傍付近からは、モータドライバを、送信回路の電界強度が最大となる場所の近傍となるまでのピッチ角度よりもより精度の高い調整ピッチ角度にして、送信回路に実装された回転可能な操作部を、そのような精度の高い調整ピッチ角度で回転操作し、そのときに計測された電界強度を、その前の調整ピッチ角度の電界強度と比較し、増大すれば、モータドライバの回転操作角度を更に１調整ピッチ角度進め、減少した時点で、その前の調整ピッチ角度まで戻して、電界強度を、その値に固定以上の手順でモータドライバを制御し計測しながら、送信回路の電界強度を最適値に自動調整しているので、短時間に、送信回路のアンテナの利得を最適化することができる。
【図面の簡単な説明】
【図１】  本発明に係る、送信回路のアンテナ利得調整装置を概略的に示す構成図である。
【図２】  図１に示す送信回路のアンテナ利得調整装置を用いた、送信回路のアンテナ利得調整方法を概略的に説明する図であり、送信回路のアンテナ利得調整の操作手順を概略的に説明するための図であり、トリマコンデンサＣの調整つまみＣａにモータドライバを嵌合させた後、モータドライバで一定幅の第一のピッチ角度（ピッチ送り計測ポイント）でピッチ送り実施し、第一のピッチ角度（ピッチ送り計測ポイント）毎に、計測器１０２により計測された電界強度（ｄＢｍ）に基づいて作成した、モータドライバの回転角度と電界強度との相関に関する電界強度の全体の波形を表すグラフである。
【図３】  図１に示す送信回路のアンテナ利得調整装置を用いた、送信回路のアンテナ利得調整方法を概略的に説明するフローチャートである。
【図４】  図１に示す送信回路のアンテナ利得調整装置を用いた、送信回路のアンテナ利得調整方法を概略的に説明する図であり、送信回路のアンテナ利得調整の操作手順を概略的に説明するための図であり、トリマコンデンサの調整つまみにモータドライバを嵌合させた後、モータドライバで一定幅の第一のピッチ角度でピッチ送り実施し、第一のピッチ角度毎に、計測器により計測された電界強度（ｄＢｍ）に基づいて作成したモータドライバの回転角度と電界強度との相関に関する電界強度の全体の波形を表すグラフであり、電界強度の波形中に、ノイズにより大小２つのピーク値が現れた場合を示している。
【図５】  図１に示す送信回路のアンテナ利得調整装置を用いた、送信回路のアンテナ利得調整方法を概略的に説明する図であり、送信回路のアンテナ利得調整の操作手順を概略的に説明するための図であり、トリマコンデンサの調整つまみにモータドライバを嵌合させた後、モータドライバで一定幅の第一のピッチ角度（ピッチ送り計測ポイント）でピッチ送り実施し、第一のピッチ角度（ピッチ送り計測ポイント）毎に、計測器により計測された電界強度（ｄＢｍ）に基づいて作成したモータドライバの回転角度と電界強度との相関に関する電界強度の全体の波形を表すグラフであり、電界強度の波形中に、ノイズにより大小２つのピーク値が現れた場合を示している。
【図６】  アンテナの利得を調整する送信回路に設けられているトリマコンデンサの調整つまみの回転角と、計測器により計測された電界強度との相関関係を示す図であり、トリマコンデンサの調整つまみを１回転させた場合に、ビット滑りが生じた場合を示している。
【図７】  従来のワイヤレス機器の送信回路のアンテナ利得調整装置を概略的に示す構成図である。
【図８】  従来の送信回路のアンテナ利得調整方法を概略的に説明する図であり、送信回路のアンテナ利得調整の操作手順を概略的に説明するための図であり、アンテナの利得を調整する送信回路に設けられているトリマコンデンサの調整つまみをモータドライバを用いて回転させた際のモータドライバの回転角度と、計測器により計測された電界強度との相関関係を示す図である。
【符号の説明】
１ 送信回路のアンテナ利得調整装置
２ 計測器
３ モータドライバ制御装置
４ 演算処理装置
【図１】
0003722011.tif 000002
【図２】
0003722011.tif 000003
【図３】
0003722011.tif 000004
【図４】
0003722011.tif 000005
【図５】
0003722011.tif 000006
【図６】
0003722011.tif 000007
【図７】
0003722011.tif 000008
【図８】
0003722011.tif 000009